(57)【要約】      （修正有）【課題】特定の子機から複数の親機に同時呼出しを行うにあたり、その呼出しの優先度を呼出相手先の親機毎で子機に記憶するとともに当該優先度の変更を容易とする。【解決手段】１又は複数のインターホン子機（第１、第２のインターホン子機）１ａ、１ｂと複数のインターホン親機（第１乃至第４のインターホン親機）２ａ、３ａ、２ｂ、３ｂとを、それぞれ異なるエリア内で汎用ネットワーク４を経由して相互に接続するように設置し、特定のインターホン子機から複数のインターホン親機に同時呼出しを行うにあたって、その呼出しの優先度を複数パターンで呼出相手先の親機毎で子機記憶部１４ａ、１４ｂに記憶し、当該優先度を親機からの選択操作で切換える。また、呼出しの優先度が同一であったときには、同一の優先度を付加した呼出信号をマルチキャスト信号で送信する。【選択図】図１
2015029167.tif 000002
【特許請求の範囲】
【請求項１】
１又は複数のインターホン子機と、前記インターホン子機からの呼出しに応答して通話を行う複数のインターホン親機とを、それぞれ異なるエリア内に設けて相互に接続するインターホンシステムであって、
前記インターホン子機は、前記インターホン親機を呼出すために操作する呼出操作部と、当該子機から前記インターホン親機への呼出しの優先度を当該親機毎に記憶する子機記憶部と、前記子機操作部の操作を検出したとき前記子機記憶部から読出される前記優先度を付加した呼出信号を生成して前記インターホン親機に送信する子機ＣＰＵとを備え、
前記インターホン親機は、前記インターホン子機の前記子機ＣＰＵから送信されてくる前記呼出信号に付加された優先度に対応させて呼出報知を行う親機ＣＰＵとを備えることを特徴とするインターホンシステム。
【請求項２】
前記インターホン子機、前記インターホン親機はそれぞれ、ＬＡＮ等の汎用ネットワークを経由して相互に接続され、
前記インターホン子機の前記子機ＣＰＵは、前記子機記憶部から読出される前記優先度が同一であったとき、同一の優先度を付加した呼出信号をマルチキャスト信号で前記インターホン親機に送信することを特徴とする請求項１記載のインターホンシステム。
【請求項３】
前記インターホン子機の前記子機記憶部には、前記インターホン親機からの選択操作で切換えが可能な優先度が複数パターン記憶され、
前記子機ＣＰＵは、前記子機記憶部に記憶された前記複数パターンの優先度のうち読出す当該優先度を切換えることを特徴とする請求項１又は請求項２記載のインターホンシステム。
【発明の詳細な説明】
【技術分野】
【０００１】
本発明は、特定の子機から複数の親機に対して同時呼出しを行うインターホンシステムに係り、特に、その呼出しの優先度を呼出相手先の親機毎で変更可能なインターホンシステムに関する。
【背景技術】
【０００２】
従来から、複数のインターホン親機を所有する２世帯住宅などに適用されるインターホンシステムであって、訪問者の来訪を迅速に目的の家人に報知することができるとともに、家人にとって快適且つ利便性の高いインターホンシステムが開示されている（例えば、特許文献１を参照）。
【０００３】
このインターホンシステムによれば、ドアホン子機からの呼出に応じて応答する複数のインターホン親機と、該インターホン親機に接続され該インターホン親機からの転送呼出に応じて応答するインターホン副親機とのうち少なくとも１つは、予めインターホンの呼出順番を設定する優先呼出設定手段が備えられている。
【先行技術文献】
【特許文献】
【０００４】
【特許文献１】特開２００３−７８６２８号公報
【発明の概要】
【発明が解決しようとする課題】
【０００５】
背景技術に記載のインターホンシステムによれば、ドアホン子機を例えば、複数の駅に設置する一方、インターホン親機やインターホン副親機についても複数の駅に設置した場合、インターホン親機やインターホン副親機から見て同一の駅に設置されたドアホン子機からの呼出しに対してはその呼出順番を高く設定する一方、他の駅に設置されたドアホン子機からの呼出しに対してはその呼出順番を低く設定したい要望がある。
【０００６】
しかしながら、前述のような呼出順番の設定手段（優先呼出設定手段）は、インターホン親機及びインターホン副親機のうち少なくとも１つに備えられているため、呼出相手先の親機をドアホン子機から指定するシステムにおいては、ドアホン子機から見た呼出しの呼出順番を親機側で確認できず、呼出順番としての優先度が不当に低くなってしまうおそれがあった。
【０００７】
本発明は、この難点を解消するためになされたもので、特定の子機から複数の親機に同時呼出しを行うにあたり、その呼出しの優先度を呼出相手先の親機毎で子機に記憶するとともに当該優先度の変更が容易なインターホンシステムを提供することを目的としている。
【課題を解決するための手段】
【０００８】
前述の目的を達成するため、本発明の第１の態様であるインターホンシステムは、１又は複数のインターホン子機と、インターホン子機からの呼出しに応答して通話を行う複数のインターホン親機とを、それぞれ異なるエリア内に設置して相互に接続する当該システムである。インターホン子機は、インターホン親機を呼出すために操作する呼出操作部と、当該子機からインターホン親機への呼出しの優先度を当該親機毎に記憶する子機記憶部と、子機操作部の操作を検出したとき子機記憶部から読出される優先度を付加した呼出信号を生成してインターホン親機に送信する子機ＣＰＵとを備えている。インターホン親機は、インターホン子機の子機ＣＰＵから送信されてくる呼出信号に付加された優先度に対応させて呼出報知を行う親機ＣＰＵとを備えている。
【０００９】
この態様のインターホンシステムによれば、１又は複数のインターホン子機のうち特定の当該子機から複数のインターホン親機に同時呼出しを行うにあたって、その呼出しの優先度を呼出相手先の親機毎で子機記憶部に記憶することにより、子機操作部の使用による操作（呼出操作）を検出した子機ＣＰＵは、子機記憶部から読出される優先度を付加した呼出信号を生成してインターホン親機に送信することができる。したがって、呼出相手先であるインターホン親機の親機ＣＰＵによれば、インターホン子機の子機ＣＰＵから送信されてくる呼出信号に付加された優先度に対応させて呼出報知の制御を行うことができる。
【００１０】
また、本発明の第２の態様であるインターホンシステムは、本発明の第１の態様において、インターホン子機、インターホン親機はそれぞれ、ＬＡＮ等の汎用ネットワークを経由して相互に接続され、インターホン子機の子機ＣＰＵは、子機記憶部から読出される優先度が同一であったとき、同一の優先度を付加した呼出信号をマルチキャスト信号でインターホン親機に送信することができる。
【００１１】
この態様のインターホンシステムによれば、１又は複数のインターホン子機のうち特定の当該子機から複数のインターホン親機への同時呼出しを汎用ネットワークを経由して行うにあたり、その呼出しの優先度が同一であったときには同一の優先度を付加した呼出信号をマルチキャスト信号で送信することができる。したがって、呼出信号の伝送路（伝送回線）である汎用ネットワークに負荷を与えることなく、効率のよい信号伝送が可能となる。
【００１２】
また、本発明の第３の態様であるインターホンシステムは、本発明の第１の態様又は第２の態様において、インターホン子機の子機記憶部には、インターホン親機からの選択操作で切換えが可能な優先度が複数パターン記憶され、子機ＣＰＵは、子機記憶部に記憶された複数パターンの優先度のうち読出す当該優先度を切換えることができる。
【００１３】
この態様のインターホンシステムによれば、１又は複数のインターホン子機のうち特定の当該子機から複数のインターホン親機への同時呼出しを行うにあたり、その優先度（のパターン）を容易に切換えることができる。したがって、例えば、同一のエリア内に呼出相手先の親機が少なく特定の子機からの同時呼出しに対して迅速に応答できないおそれがある場合であっても、異なるエリア内に設置された親機の優先度が高くなるように切換えて同時呼出しを行うことで、呼出状態で保留することなく迅速な応答が可能となる。
【発明の効果】
【００１４】
本発明のインターホンシステムによれば、１又は複数のインターホン子機のうち特定の当該子機から複数のインターホン親機への同時呼出しを行うにあたり、その呼出しの優先度を呼出相手先の親機毎で子機に記憶するとともに当該優先度の変更も容易であるため、呼出相手先の親機によれば、優先度に対応した呼出報知ができるばかりでなく呼出状態で保留することなく迅速な応答が可能となる。
【図面の簡単な説明】
【００１５】
【図１】本発明の実施例によるインターホンシステムの具体的な構成を示すブロック図。
【発明を実施するための形態】
【００１６】
以下、本発明のインターホンシステムを適用した実施の形態例について、図面を参照して説明する。
【００１７】
図１は、本発明の実施例によるインターホンシステムの具体的な構成を示すブロック図である。このインターホンシステムは、当該システムが適用される場所で異なるエリアとして、例えば、複数の駅毎のエレベータ、券売機又は改札等や集合住宅を構成する複数の棟毎の集合玄関に設置される１又は複数のインターホン子機、ここでは、Ａ駅と当該Ａ駅から離れた位置（物理的に数ｋｍ離れた位置）のＢ駅のエレベータ、券売機又は改札等に設置される複数のインターホン子機（以下、第１、第２のインターホン子機という）１ａ、１ｂと、例えば、駅毎の複数の駅務室や集合住宅を構成する棟毎の住戸内に設置される複数のインターホン親機、ここでは、Ａ駅、Ｂ駅それぞれで２箇所の駅務室に設置される複数のインターホン親機（以下、（Ａ駅の）の第１、第２のインターホン親機、（Ｂ駅の）第３、第４のインターホン親機という）２ａ、３ａ、２ｂ、３ｂと、前述の第１、第２のインターホン子機１ａ、１ｂ、第１乃至第４のインターホン親機２ａ、３ａ、２ｂ、３ｂを相互に接続するＬＡＮ（、ＷＡＮ）等の汎用ネットワーク４とを有している。
【００１８】
なお、第１、第２のインターホン子機１ａ、１ｂ及び汎用ネットワーク４間、第１乃至第４のインターホン親機２ａ、３ａ、２ｂ、３ｂ及び汎用ネットワーク４間はそれぞれ、図示のような有線による接続の態様に限定されるものではなく、不図示の無線による接続の態様も好適とされる。
【００１９】
次に、同図に示す第１、第２のインターホン子機１ａ、１ｂはそれぞれ、同様な構成であって自子機に割当てられた識別符号としての例えば、ＩＰアドレス（以下、子機アドレスという）を有しており、子機操作部１０ａ、１０ｂ、子機マイク１１ａ、１１ｂ、子機スピーカ１２ａ、１２ｂ、子機音声処理部１３ａ、１３ｂ、子機記憶部１４ａ、１４ｂ、子機ＣＰＵ１５ａ、１５ｂ及び子機インターフェース（Ｉ／Ｆ）１６ａ、１６ｂが備えられている。
【００２０】
これら第１、第２のインターホン子機１ａ、１ｂにおいて、子機操作部１０ａ、１０ｂは、（Ａ駅、Ｂ駅それぞれの）例えば、エレベータ、券売機又は改札等の周辺に居る人物（呼出者）が駅務室に居る例えば、駅係員（呼出対象者）を呼出すための操作（呼出操作）を行うものであって例えば、呼出（押圧）ボタンで構成されている。
【００２１】
子機マイク１１ａ、１１ｂ及び子機スピーカ１２ａ、１２ｂは、前述のような呼出者が呼出対象者との間で通話を行うための音声（音声信号）を入出力するものである。また、子機音声処理部１３ａ、１３ｂは、子機マイク１１ａ、１１ｂ及び子機スピーカ１２ａ、１２ｂを使用して入出力される音声（音声信号）についての信号処理、例えば、ＦＭ変調又はＦＭ復調や信号増幅等を行うものである。
【００２２】
子機記憶部１４ａ、１４ｂは、第１乃至第４のインターホン親機２ａ、３ａ、２ｂ、３ｂのうち自子機からの呼出しの優先度を記憶するものであって例えば、ＲＡＭ，ＥＥＰＲＯＭ等の各種の記憶媒体で構成されている。なお、呼出しの優先度とは、「高（最優先）レベル」、「通常レベル」、「低レベル」のように、例えば、呼出しの緊急性や重要性に対応して異なるレベル差となるように設定することができ、このレベル差は前述のような３段階に限定されるものではなく、任意のレベル差で設定できる。また、呼出しの優先度は、第１乃至第４のインターホン親機２ａ、３ａ、２ｂ、３ｂからの後述する選択操作で切換えが可能として、複数パターンを記憶させることができる。
【００２３】
子機ＣＰＵ１５ａ、１５ｂは、当該インターホン子機の構成各部を制御するものである。また、子機Ｉ／Ｆ１６ａ、１６ｂは、子機音声処理部１３ａ、１３ｂ及び汎用ネットワーク４間の信号伝送路、子機ＣＰＵ１５ａ、１５ｂ及び汎用ネットワーク４間の信号伝送路をそれぞれ形成し、形成された信号伝送路を経由して各種の信号を送受信するものである。
【００２４】
次に、同図に示す第１乃至第４のインターホン親機２ａ、３ａ、２ｂ、３ｂはそれぞれ、同様な構成であって自親機に割当てられた識別符号としての例えば、ＩＰアドレス（以下、親機アドレスという）を有しており、通話操作部２０ａ、３０ａ、２０ｂ、３０ｂ、選択操作部２１ａ、３１ａ、２１ｂ、３１ｂ、親機マイク２２ａ、３２ａ、２２ｂ、３２ｂ、親機スピーカ２３ａ、３３ａ、２３ｂ、３３ｂ、親機音声処理部２４ａ、３４ａ、２４ｂ、３４ｂ、親機ＣＰＵ２５ａ、３５ａ、２５ｂ、３５ｂ及び親機Ｉ／Ｆ２６ａ、３６ａ、２６ａ、３６ｂが備えられている。
【００２５】
これら第１乃至第４のインターホン親機２ａ、３ａ、２ｂ、３ｂにおいて、通話操作部２０ａ、３０ａ、２０ｂ、３０ｂは、前述のような呼出者からの呼出しに呼出対象者が応答して親機マイク２２ａ、３２ａ、２２ｂ、３２ｂ及び親機スピーカ２３ａ、３３ａ、２３ｂ、３３ｂの使用による通話を開始させる応答操作やその通話を終了させる終話操作が行われるものであって例えば、通話（押圧）ボタンで構成されている。また、選択操作部２１ａ、３１ａ、２１ｂ、３１ｂは、第１、第２のインターホン子機１ａ、１ｂの子機記憶部１４ａ、１４ｂに記憶される複数パターンの優先度のうち、子機ＣＰＵ１５ａ、１５ｂの制御により読出す優先度を選択して切換えるものであって例えば、当該親機の機器内部のＤＩＰスイッチ等で構成されている。
【００２６】
親機マイク２２ａ、３２ａ、２２ｂ、３２ｂ及び親機スピーカ２３ａ、３３ａ、２３ｂ、３３ｂは、前述のような呼出対象者が呼出者との間で通話を行うための音声（音声信号）を入出力するものであって、この親機スピーカ２３ａ、３３ａ、２３ｂ、３３ｂとしては、特定の子機、すなわち、呼出者からの呼出しがあることを示す呼出音や音声メッセージ等を出力することもできる。また、親機音声処理部２４ａ、３４ａ、２４ｂ、３４ｂは、親機マイク２２ａ、３２ａ、２２ｂ、３２ｂ及び親機スピーカ２３ａ、３３ａ、２３ｂ、３３ｂの使用により入出力される音声（音声信号）についての信号処理、例えば、ＦＭ変調又はＦＭ復調や信号増幅等を行うものである。
【００２７】
親機ＣＰＵ２５ａ、３５ａ、２５ｂ、３５ｂは、当該インターホン親機の構成各部を制御するものである。また、親機Ｉ／Ｆ２６ａ、３６ａ、２６ａ、３６ｂは、親機音声処理部２４ａ、３４ａ、２４ｂ、３４ｂ及び汎用ネットワーク４間の信号伝送路、親機ＣＰＵ２５ａ、３５ａ、２５ｂ、３５ｂ及び汎用ネットワーク４間の信号伝送路をそれぞれ形成し、形成された信号伝送路を経由して各種の信号を送受信するものである。
【００２８】
このように構成された本発明の実施例によるインターホンシステムにおいて、以下、具体的な動作について説明する。
【００２９】
最初に、Ａ駅、Ｂ駅それぞれの例えば、エレベータ、券売機又は改札等に設置された第１、第２のインターホン子機１ａ、１ｂの子機記憶部１４ａ、１４ｂによれば、各駅の例えば、複数（２箇所ずつ）の駅務室に設置された第１乃至第４のインターホン親機２ａ、３ａ、２ｂ、３ｂのうち何れの当該親機が呼出対象であるかの呼出相手先情報を当該親機に割当てられた親機アドレスに対応させ、その呼出対象先の当該親機に対しての優先度を複数パターンで記憶することができる。なお、その設定手段としては、例えば、汎用ネットワーク４に接続されたパーソナルコンピュータ等の外部機器（不図示）が好適とされる。
【００３０】
具体的に、第１のインターホン子機１ａの子機記憶部１４ａには、第１乃至第４のインターホン親機２ａ、３ａ、２ｂ、３ｂ全てを呼出対象とする呼出相手先情報を当該親機に割当てられた親機アドレスに対応させ、自駅（Ａ駅）の第１、第２のインターホン親機２ａ、３ａへの優先度は「通常レベル」及びＢ駅の第３、第４のインターホン親機２ｂ、３ｂへの優先度は「低レベル」とするＡ駅子機用優先度パターン（以下、第１のＡ駅子機用優先度パターンという）Ｐ1aと、Ｂ駅の第３、第４のインターホン親機２ｂ、３ｂのみ呼出対象とする呼出相手先情報を当該親機に割当てられた親機アドレスに対応させ、これらインターホン親機２ｂ、３ｂへの優先度は「通常レベル」とするＡ駅子機用優先度パターン（以下、第２のＡ駅子機用優先度パターンという）Ｐ2aと、が記憶されているものとする。
【００３１】
なお、第１のインターホン子機１ａの子機ＣＰＵ１５ａによれば、その待受状態、すなわち、子機操作部１０ａの使用による操作（呼出操作）が行われていない状態において、第１乃至第４のインターホン親機２ａ、３ａ、２ｂ、３ｂの選択操作部２１ａ、３１ａ、２１ｂ、３１ｂのうち何れか１の当該操作部の使用による選択操作を検出した場合を除き、子機記憶部１４ａに記憶されている第１、第２のＡ駅子機用優先度パターンＰ1a、Ｐ2aのうち第１のＡ駅子機用優先度パターンＰ1aを優先して読出す設定が予めなされているものとする。ここで、第１乃至第４のインターホン親機２ａ、３ａ、２ｂ、３ｂの選択操作部２１ａ、３１ａ、２１ｂ、３１ｂのうち何れか１の当該操作部の使用としては、不必要で不適切な選択操作がなされることに鑑み、通常、自駅（Ａ駅）の第１、第２のインターホン親機２ａ、３ａの選択操作部２１ａ、３１ａのうち何れか１の当該操作部の使用による選択操作を有効とすることが望ましいものである。
【００３２】
一方、第２のインターホン子機１ｂの子機記憶部１４ｂには、第１乃至第４のインターホン親機２ａ、３ａ、２ｂ、３ｂのうち自駅（Ｂ駅）の第３、第４のインターホン親機２ｂ、３ｂのみ呼出対象とする呼出相手先情報を当該親機に割当てられた親機アドレスに対応させ、その呼出しの優先度は「通常レベル」とするＢ駅子機用優先度パターンが記憶されているものとする。
［第１の呼出動作］
次に、第１の呼出動作として、Ａ駅の例えば、エレベータ、券売機又は改札等に居る人物（第１の呼出者）が第１のインターホン子機１ａの子機操作部１０ａを使用して操作（呼出操作）を行うと、この操作を検出した子機ＣＰＵ１５ａは、子機記憶部１４ａに記憶されている第１、第２のＡ駅子機用優先度パターンＰ1a、Ｐ2aのうち第１のＡ駅子機用優先度パターンＰ1aを読出す。この後、子機ＣＰＵ１５ａは、例えば、ＳＩＰ対応フォーマットのマルチキャスト信号で自子機アドレス、第１、第２のインターホン親機２ａ、３ａをそれぞれ指定する親機アドレス及び「通常レベル」で同一の優先度情報を付加した呼出信号（以下、第１の呼出信号という）と、同様なマルチキャスト信号で自子機アドレス、第３、第４のインターホン親機２ｂ、３ｂをそれぞれ指定する親機アドレス及び「低レベル」で同一の優先度情報を付加した呼出信号（以下、第２の呼出信号という）とを生成する。
【００３３】
また、第１のインターホン子機１ａの子機ＣＰＵ１５ａで生成された第１、第２の呼出信号は、子機Ｉ／Ｆ１６ａから汎用ネットワーク４を経由して、第２のインターホン子機１ｂの子機Ｉ／Ｆ１６ｂと第１乃至第４のインターホン親機２ａ、３ａ、２ｂ、３ｂの親機Ｉ／Ｆ２６ａ、３６ａ、２６ｂ、３６ｂと、にそれぞれ伝送される。なお、第１、第２の呼出信号はマルチキャスト信号であるため、当該呼出信号の伝送路（伝送回線）である汎用ネットワーク４に負荷を与えることなく、効率のよい信号伝送が可能となる。
【００３４】
第２のインターホン子機１ｂの子機ＣＰＵ１６ｂと第１乃至第４のインターホン親機２ａ、３ａ、２ｂ、３ｂの親機ＣＰＵ２５ａ、３５ａ、２５ｂ、３５ｂとはそれぞれ、自機器のＩ／Ｆ１６ｂ、２６ａ、３６ａ、２６ｂ、３６ｂを経由して受信した第１、第２の呼出信号に付加されているアドレスと自機器に割当てられたアドレスとの照合を行う。ここでは、第１乃至第４のインターホン親機２ａ、３ａ、２ｂ、３ｂの親機ＣＰＵ２５ａ、３５ａ、２５ｂ、３５ｂでそれぞれ当該アドレスが一致するため、同様に付加されている子機アドレスに該当する第１のインターホン子機１ａで呼出操作を行った人物（第１の呼出者）からの呼出しがあることを検出する。
【００３５】
ここで、第１乃至第４のインターホン親機２ａ、３ａ、２ｂ、３ｂの親機ＣＰＵ２５ａ、３５ａ、２５ｂ、３５ｂによれば、第１のインターホン子機１ａで呼出操作を行った人物（第１の呼出者）からの呼出しを検出した呼出時において、第２のインターホン子機１ｂで呼出操作を行った人物、すなわち、Ｂ駅の例えば、エレベータ、券売機又は改札等に居る人物からの呼出しがない場合、自機器で検出した呼出しの優先度が「通常レベル」、「低レベル」のように異なっていても、親機スピーカ２３ａ、３３ａ、２３ｂ、３３ｂの使用による呼出報知として、例えば、通常レベルでレベル差を持たせない同一パターンの呼出音や音声メッセージ等を出力させることができる。
【００３６】
この後、前述の呼出報知を確認した呼出対象者、すなわち、第１、第２のインターホン親機２ａ、３ａがそれぞれ設置されたＡ駅の例えば、駅務室に居る駅係員及び第３、第４のインターホン親機２ｂ、３ｂがそれぞれ設置されたＢ駅の例えば、駅務室に居る駅係員によれば、最先に応答操作を行った駅係員のみ第１のインターホン子機１ａで呼出操作を行った人物（第１の呼出者）との間で通話を成立させることができる。ここでは、第１のインターホン親機２ａが設置されたＡ駅の例えば、駅務室に居る駅係員が最先に、通話操作部２０ａを使用して応答操作を行うと、この操作を検出した親機ＣＰＵ２５ａは、親機音声処理部２４ａを能動として親機マイク２２ａ及び親機スピーカ２３ａと当該親機音声処理部を経由して親機Ｉ／Ｆ２６ａとの間の信号伝送路を形成するとともに、例えば、ＳＩＰ対応の信号フォーマットで自親機アドレス及び第１のインターホン子機１ａを指定する子機アドレスを付加した応答信号（以下、第１の応答信号という）を生成する。
【００３７】
また、第１のインターホン親機２ａの親機ＣＰＵ２５ａで生成された第１の応答信号は、親機Ｉ／Ｆ２６ａから汎用ネットワーク４を経由して、第１、第２のインターホン子機１ａ、１ｂの子機Ｉ／Ｆ１６ａ、１６ｂと第２乃至第４のインターホン親機３ａ、２ｂ、３ｂの親機Ｉ／Ｆ３６ａ、２６ｂ、３６ｂと、にそれぞれ伝送される。
【００３８】
第１、第２のインターホン子機１ａ、１ｂの子機ＣＰＵ１５ａ、１５ｂと第２乃至第４のインターホン親機３ａ、２ｂ、３ｂの親機Ｉ／Ｆ３５ａ、２５ｂ、３５ｂとはそれぞれ、自機器のＩ／Ｆ１６ａ、１６ｂ、３６ａ、２６ｂ、３６ｂを経由して受信した第１の応答信号に付加されている子機アドレスと自機器に割当てられたアドレスとの照合を行う。ここでは、第１のインターホン子機１ａの子機ＣＰＵ１５ａのみ当該アドレスが一致するため、同様に付加されている親機アドレスに該当する第１のインターホン親機２ａで応答操作を行った人物（呼出対象者である駅係員）からの応答があったことを検出する。
【００３９】
この後、第１のインターホン子機１ａの子機ＣＰＵ１５ａは、子機音声処理部１３ａを能動として子機マイク１１ａ及び子機スピーカ１２ａと当該子機音声処理部を経由して子機Ｉ／Ｆ１６ａとの間の信号伝送路を形成することで、Ａ駅の例えば、エレベータ、券売機又は改札等に居る人物（第１の呼出者）が使用する子機マイク１１ａ及び子機スピーカ１２ａと、呼出相手者のうち最先の応答者である、第１のインターホン親機２ａが設置されたＡ駅の例えば、駅務室に居る駅係員が使用する親機マイク２２ａ及び親機スピーカ２３ａとの間の信号伝送路、すなわち、通話路が形成され、形成された通話路を経由して音声信号を送受信することで通話が成立する。
［第２の呼出動作］
次に、第２の呼出動作として、前述のような第１の呼出動作が継続中であり、第１、第２のインターホン親機２ａ、３ａがそれぞれ設置されたＡ駅の例えば、駅務室に居る駅係員及び第３、第４のインターホン親機２ｂ、３ｂがそれぞれ設置されたＢ駅の例えば、駅務室に居る駅係員の何れも応答していないとき、Ｂ駅の例えば、エレベータ、券売機又は改札等に居る人物（第２の呼出者）が第２のインターホン子機１ｂの子機操作部１０ｂを使用して操作（呼出操作）を行うと、この操作を検出した子機ＣＰＵ１５ｂは、子機記憶部１４ｂに記憶されているＢ駅子機用優先度パターンＰ1bを読出す。この後、子機ＣＰＵ１５ｂは、例えば、ＳＩＰ対応フォーマットのマルチキャスト信号で自子機アドレス、第３、第４のインターホン親機２ｂ、３ｂをそれぞれ指定する親機アドレス及び「通常レベル」で同一の優先度情報を付加した呼出信号（以下、第３の呼出信号という）を生成する。
【００４０】
また、第２のインターホン子機１ｂの子機ＣＰＵ１５ｂで生成された第３の呼出信号は、子機Ｉ／Ｆ１６ｂから汎用ネットワーク４を経由して、第１のインターホン子機１ａの子機Ｉ／Ｆ１６ａと第１乃至第４のインターホン親機２ａ、３ａ、２ｂ、３ｂの親機Ｉ／Ｆ２６ａ、３６ａ、２６ｂ、３６ｂと、にそれぞれ伝送される。なお、第３の呼出信号はマルチキャスト信号であるため、当該呼出信号の伝送路（伝送回線）である汎用ネットワーク４に負荷を与えることなく、効率のよい信号伝送が可能となる。
【００４１】
第１のインターホン子機１ａの子機ＣＰＵ１６ａと第１乃至第４のインターホン親機２ａ、３ａ、２ｂ、３ｂの親機ＣＰＵ２５ａ、３５ａ、２５ｂ、３５ｂとはそれぞれ、自機器のＩ／Ｆ１６ａ、２６ａ、３６ａ、２６ｂ、３６ｂを経由して受信した第３の呼出信号に付加されているアドレスと自機器に割当てられたアドレスとの照合を行う。ここでは、第３、第４のインターホン親機２ｂ、３ｂの親機ＣＰＵ２５ｂ、３５ｂでそれぞれ当該アドレスが一致するため、同様に付加されている子機アドレスに該当する第２のインターホン子機１ｂで呼出操作を行った人物（第２の呼出者）からの呼出しがあることを検出する。
【００４２】
ここで、第３、第４のインターホン親機２ｂ、３ｂの親機ＣＰＵ２５ｂ、３５ｂによれば、同様に付加されている優先度情報が「通常レベル」で同一であり前述のような第１の呼出者からの呼出しの優先度である「低レベル」と比較してそのレベルが高いため、第１の呼出者からの呼出しにかかる呼出報知の制御を中止する一方、第２の呼出者からの呼出しにかかる呼出報知として、例えば、通常レベルを示すパターンの呼出音や音声メッセージ等を出力させることができる。
【００４３】
この後、前述の呼出報知を確認した呼出対象者、すなわち、第３、第４のインターホン親機２ｂ、３ｂがそれぞれ設置されたＢ駅の例えば、駅務室に居る駅係員によれば、最先に応答操作を行った駅係員のみ第２のインターホン子機１ｂで呼出操作を行った人物（第２の呼出者）との間で通話を成立させることができる。ここでは、第４のインターホン親機３ｂが設置されたＢ駅の例えば、駅務室に居る駅係員が最先に、通話操作部３０ｂを使用して応答操作を行うと、この操作を検出した親機ＣＰＵ３５ｂは、親機音声処理部３４ｂを能動として親機マイク３２ｂ及び親機スピーカ３３ｂと当該親機音声処理部を経由して親機Ｉ／Ｆ３６ｂとの間の信号伝送路を形成するとともに、例えば、ＳＩＰ対応の信号フォーマットで自親機アドレス及び第２のインターホン子機１ｂを指定する子機アドレスを付加した応答信号（以下、第２の応答信号という）を生成する。
【００４４】
また、第４のインターホン親機３ｂの親機ＣＰＵ３５ｂで生成された第３の応答信号は、親機Ｉ／Ｆ３６ｂから汎用ネットワーク４を経由して、第１、第２のインターホン子機１ａ、１ｂの子機Ｉ／Ｆ１６ａ、１６ｂと第１乃至第３のインターホン親機２ａ、３ａ、２ｂの親機Ｉ／Ｆ２６ａ、３６ａ、２６ｂと、にそれぞれ伝送される。
【００４５】
第１、第２のインターホン子機１ａ、１ｂの子機ＣＰＵ１５ａ、１５ｂと第１乃至第３のインターホン親機２ａ、３ａ、２ｂの親機Ｉ／Ｆ２５ａ、３５ａ、２５ｂとはそれぞれ、自機器のＩ／Ｆ１６ａ、１６ｂ、２６ａ、３６ａ、２６ｂを経由して受信した第２の応答信号に付加されている子機アドレスと自機器に割当てられたアドレスとの照合を行う。ここでは、第２のインターホン子機１ｂの子機ＣＰＵ１５ｂのみ当該アドレスが一致するため、同様に付加されている親機アドレスに該当する第４のインターホン親機３ｂで応答操作を行った人物（呼出対象者である駅係員）からの応答があったことを検出する。
【００４６】
この後、第２のインターホン子機１ｂの子機ＣＰＵ１５ｂは、子機音声処理部１３ｂを能動として子機マイク１１ｂ及び子機スピーカ１２ｂと当該子機音声処理部を経由して子機Ｉ／Ｆ１６ｂとの間の信号伝送路を形成することで、Ｂ駅の例えば、エレベータ、券売機又は改札等に居る人物（第２の呼出者）が使用する子機マイク１１ｂ及び子機スピーカ１２ｂと、呼出相手者のうち最先の応答者である、第４のインターホン親機３ｂが設置されたＢ駅の例えば、駅務室に居る駅係員が使用する親機マイク３２ｂ及び親機スピーカ３３ｂとの間の信号伝送路、すなわち、通話路が形成され、形成された通話路を経由して音声信号を送受信することで通話が成立する。
【００４７】
なお、前述までの第２の呼出動作が継続中であるとき、第１の呼出動作にかかる呼出報知を確認して応答操作を行ったＡ駅の例えば、駅務室に居る駅係員によれば、呼出元である、Ａ駅の例えば、エレベータ、券売機又は改札等に居る人物（第１の呼出者）との間で通話を成立させることができる。すなわち、第１、第２ぞれぞれの呼出動作にかかる通話を独立して行うことができる。
［優先度のパターン選択・切換動作及び第３の呼出動作］
次に、前述のような第１の呼出動作が行われていない待受状態において、第１、第２のインターホン親機２ａ、３ａがそれぞれ設置されたＡ駅の例えば、駅務室に居る駅係員のうち何れかの駅係員、ここでは、第２のインターホン親機３ａが設置されたＡ駅の例えば、駅務室に居る駅係員が、選択操作部３１ａを使用して選択操作を行うと、この操作を検出した親機ＣＰＵ３５ａは、例えば、ＳＩＰ対応の信号フォーマットで自親機アドレス及び第１のインターホン子機１ａを指定する子機アドレスを付加した優先度切換信号を生成する。
【００４８】
また、第１のインターホン親機２ａの親機ＣＰＵ３５ａで生成された優先度切換信号は、親機Ｉ／Ｆ３６ａから汎用ネットワーク４を経由して、第１、第２のインターホン子機１ａ、１ｂの子機Ｉ／Ｆ１６ａ、１６ｂと第１、第３及び第４のインターホン親機２ａ、２ｂ、３ｂの親機Ｉ／Ｆ２６ａ、２６ｂ、３６ｂと、にそれぞれ伝送される。
【００４９】
第１、第２のインターホン子機１ａ、１ｂの子機ＣＰＵ１５ａ、１５ｂと第１、第３及び第４のインターホン親機２ａ、２ｂ、３ｂの親機Ｉ／Ｆ２５ａ、２５ｂ、３５ｂとはそれぞれ、自機器のＩ／Ｆ１６ａ、１６ｂ、２６ａ、２６ｂ、３６ｂを経由して受信した優先度切換信号に付加されている子機アドレスと自機器に割当てられたアドレスとの照合を行う。ここでは、第１のインターホン子機１ａの子機ＣＰＵ１５ａのみ当該アドレスが一致するため、同様に付加されている親機アドレスに該当する第２のインターホン親機３ｂで選択操作が行われたことを検出する。
【００５０】
この後、第１のインターホン子機１ａの子機ＣＰＵ１５ａは、子機記憶部１４ａに記憶されている第１、第２のＡ駅子機用優先度パターンＰ1a、Ｐ2aのうち第１のＡ駅子機用優先度パターンＰ1aを優先して読出す設定を、第２のＡ駅子機用優先度パターンＰ1bを優先して読出す設定に切換えることができる。
【００５１】
このような優先度の切換えがなされた後のタイミングにおいて、Ａ駅の例えば、エレベータ、券売機又は改札等に居る人物（第３の呼出者）が第１のインターホン子機１ａの子機操作部１０ａを使用して操作（呼出操作）を行うと、この操作を検出した子機ＣＰＵ１５ａは、子機記憶部１４ａに記憶されている第１、第２のＡ駅子機用優先度パターンＰ1a、Ｐ2aのうち第２のＡ駅子機用優先度パターンＰ1bを読出す。この後、子機ＣＰＵ１５ａは、例えば、ＳＩＰ対応フォーマットのマルチキャスト信号で自子機アドレス、第３、第４のインターホン親機２ｂ、３ｂをそれぞれ指定する親機アドレス及び「通常レベル」で同一の優先度情報を付加した呼出信号（以下、第４の呼出信号という）を生成する。
【００５２】
また、第１のインターホン子機１ａの子機ＣＰＵ１５ａで生成された第４の呼出信号は、子機Ｉ／Ｆ１６ａから汎用ネットワーク４を経由して、第２のインターホン子機１ｂの子機Ｉ／Ｆ１６ｂと第１乃至第４のインターホン親機２ａ、３ａ、２ｂ、３ｂの親機Ｉ／Ｆ２６ａ、３６ａ、２６ｂ、３６ｂと、にそれぞれ伝送される。なお、第４の呼出信号はマルチキャスト信号であるため、当該呼出信号の伝送路（伝送回線）である汎用ネットワーク４が圧迫することなく、効率のよい信号伝送が可能となる。
【００５３】
第２のインターホン子機１ｂの子機ＣＰＵ１５ｂと第１乃至第４のインターホン親機２ａ、３ａ、２ｂ、３ｂの親機ＣＰＵ２５ａ、３５ａ、２５ｂ、３５ｂとはそれぞれ、自機器のＩ／Ｆ１６ｂ、Ｉ／Ｆ２６ａ、３６ａ、２６ｂ、３６ｂを経由して受信した第４の呼出信号に付加されているアドレスと自機器に割当てられたアドレスとの照合を行う。ここでは、第３、第４のインターホン親機２ｂ、３ｂの親機ＣＰＵ２５ｂ、３５ｂでそれぞれ当該アドレスが一致するため、同様に付加されている子機アドレスに該当する第１のインターホン子機１ａで呼出操作を行った人物（第３の呼出者）からの呼出しがあることを検出する。
【００５４】
ここで、第３、第４のインターホン親機２ｂ、３ｂの親機ＣＰＵ２５ｂ、３５ｂによれば、同様に付加されている優先度情報が「通常レベル」であり前述のような第２の呼出者からの呼出しの優先度である「通常レベル」と同一であるため、第３の呼出者からの呼出しにかかる呼出報知として、例えば、通常レベルを示すパターンの呼出音や音声メッセージ等を出力させることができる。
【００５５】
この後、前述の呼出報知を確認した呼出対象者、すなわち、第３、第４のインターホン親機２ｂ、３ｂがそれぞれ設置されたＢ駅の例えば、駅務室に居る駅係員によれば、最先に応答操作を行った駅係員のみ第１のインターホン子機１ａで呼出操作を行った人物（第３の呼出者）との間で通話を成立させることができる。ここでは、第３のインターホン親機２ｂが設置されたＢ駅の例えば、駅務室に居る駅係員が最先に、通話操作部２０ｂを使用して応答操作を行うと、この操作を検出した親機ＣＰＵ３５ｂは、親機音声処理部２４ｂを能動として親機マイク２２ｂ及び親機スピーカ２３ｂと当該親機音声処理部を経由して親機Ｉ／Ｆ２６ｂとの間の信号伝送路を形成するとともに、例えば、ＳＩＰ対応の信号フォーマットで自親機アドレス及び第１のインターホン子機１ａを指定する子機アドレスを付加した応答信号（以下、第３の応答信号という）を生成する。
【００５６】
また、第３のインターホン親機２ｂの親機ＣＰＵ２５ｂで生成された第３の応答信号は、親機Ｉ／Ｆ２６ｂから汎用ネットワーク４を経由して、第１、第２のインターホン子機１ａ、１ｂの子機Ｉ／Ｆ１６ａ、１６ｂと第１、第２及び第４のインターホン親機２ａ、３ａ、３ｂの親機Ｉ／Ｆ２６ａ、３６ａ、３６ｂと、にそれぞれ伝送される。
【００５７】
第１、第２のインターホン子機１ａ、１ｂの子機ＣＰＵ１５ａ、１５ｂと第１、第２及び第４のインターホン親機２ａ、３ａ、３ｂの親機Ｉ／Ｆ２５ａ、３５ａ、３５ｂとはそれぞれ、自機器のＩ／Ｆ１６ａ、１６ｂ、２６ａ、３６ａ、３６ｂを経由して受信した第３の応答信号に付加されている子機アドレスと自機器に割当てられたアドレスとの照合を行う。ここでは、第１のインターホン子機１ａの子機ＣＰＵ１５ａのみ当該アドレスが一致するため、同様に付加されている親機アドレスに該当する第３のインターホン親機２ｂで応答操作を行った人物（呼出対象者である駅係員）からの応答があったことを検出する。
【００５８】
この後、第１のインターホン子機１ａの子機ＣＰＵ１５ａは、子機音声処理部１３ａを能動として子機マイク１１ａ及び子機スピーカ１２ａと当該子機音声処理部を経由して子機Ｉ／Ｆ１６ａとの間の信号伝送路を形成することで、Ａ駅の例えば、エレベータ、券売機又は改札等に居る人物（第３の呼出者）が使用する子機マイク１１ａ及び子機スピーカ１２ａと、呼出相手者のうち最先の応答者である、第３のインターホン親機２ｂが設置されたＢ駅の例えば、駅務室に居る駅係員が使用する親機マイク２２ｂ及び親機スピーカ２３ｂとの間の信号伝送路、すなわち、通話路が形成され、形成された通話路を経由して音声信号を送受信することで通話が成立する。
【００５９】
したがって、例えば、同一のエリア内であるＡ駅のインターホン親機２ａ、３ａが少なく特定のインターホン子機１ａ（１ｂ）からの同時呼出しに迅速に応答できないおそれがある場合であっても、異なるエリア内であるＢ駅のインターホン親機２ｂ、３ｂへの呼出しの優先度が高くなるように切換えて同時呼出しを行うことで、呼出状態で保留することなく迅速な応答が可能となる。
【００６０】
以上の説明から明らかなように、本発明の実施例によれば、１又は複数のインターホン子機（第１、第２のインターホン子機）１ａ、１ｂと複数のインターホン親機（第１乃至第４のインターホン親機）２ａ、３ａ、２ｂ、３ｂとを、それぞれ異なるエリア内（Ａ駅、Ｂ駅）に設置し、特定の当該子機から複数のインターホン親機２ａ、３ａ、２ｂ、３ｂに同時呼出しを行うにあたって、その呼出しの優先度を呼出相手先の親機毎で子機記憶部１４ａ、１４ｂに記憶することにより、子機操作部１０ａ、１０ｂの使用による操作（呼出操作）を検出した子機ＣＰＵ１５ａ、１５ｂは、子機記憶部１４ａ、１４ｂから読出される優先度を付加した呼出信号を生成してインターホン親機２ａ、３ａ、２ｂ、３ｂに送信することができる。したがって、呼出相手先であるインターホン親機２ａ、３ａ、２ｂ、３ｂの親機ＣＰＵ２５ａ、３５ａ、２５ｂ、３５ｂによれば、インターホン子機１ａ、１ｂの子機ＣＰＵ１５ａ、１５ｂから送信されてくる呼出信号に付加された優先度に対応させて呼出報知の制御を行うことができる。
【００６１】
また、１又は複数のインターホン子機（第１、第２のインターホン子機）のうち特定の当該子機から複数のインターホン親機２ａ、３ａ、２ｂ、３ｂへの同時呼出しを汎用ネットワーク４を経由して行うにあたり、その呼出しの優先度が同一であったときには同一の優先度を付加した呼出信号をマルチキャスト信号で送信することができる。したがって、呼出信号の伝送路（伝送回線）である汎用ネットワーク４に負荷を与えることなく、効率のよい信号伝送が可能となる。
【００６２】
さらに、１又は複数のインターホン子機（第１、第２のインターホン子機）のうち特定の当該子機から複数のインターホン親機２ａ、３ａ、２ｂ、３ｂへの同時呼出しを行うにあたり、その優先度（のパターン）を容易に切換えることができる。したがって、例えば、同一のエリア内に呼出相手先の当該親機が少なく特定の子機からの同時呼出しに迅速に応答できないおそれがある場合であっても、異なるエリア内に設置された当該親機への呼出しの優先度が高くなるように切換えて同時呼出しを行うことで、呼出状態で保留することなく迅速な応答が可能となる。
【００６３】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００６４】
具体的に、本発明の実施例においては、異なるエリア内である、Ａ駅、Ｂ駅にそれぞれ設置されるインターホン子機及びインターホン親機として、駅毎で１台の当該子機及び２台の当該親機を適用したが、その台数に限定されるものではなく、より複数台のように例えば、駅の規模等に対応させることができる。
【００６５】
また、本発明の実施例においては、インターホン子機１ａ、１ｂの構成態様として映像撮像機能及びその信号処理機能が不備とされる当該子機を適用したが、この態様に限定されるものではない。例えば、映像撮像機能及びその信号処理機能が備えられた当該子機とともに映像出画機能及びその信号処理機能が備えられたインターホン親機２ａ、３ａ、２ｂ、３ｂを適用することもできる。
【符号の説明】
【００６６】
１ａ、１ｂ……第１、第２のインターホン子機（１又は複数のインターホン子機）
１４ａ、１４ｂ……子機記憶部
１５ａ、１５ｂ……子機ＣＰＵ
２ａ、３ａ、２ｂ、３ｂ……第１乃至第４のインターホン親機（複数のインターホン親機）
４……汎用ネットワーク
【図１】
2015029167.tif 000003